(57)【要約】【課題】余興効果を発生させ、又は興趣性を高めさせることができるようにする。【解決手段】トランプカードのマークと数字とを示す識別子であるシークレットサインを表示する（Ｓ６、Ｓ１１）。演者Ｘは、観客Ｙが思い浮かべた１枚のトランプカードのマークと数字とを聞いて、観客Ｙには知られないシークレットサインを見ながら、押釦スイッチの操作により（Ｓ７、Ｓ１２：ＹＥＳ）、トランプカードのマークとを記憶させる（Ｓ９、Ｓ１４）。しかる後に、この腕時計を観客Ｙに渡し、観客Ｙが同様の押釦スイッチの操作を行うと、腕時計に観客Ｙが思い浮かべたトランプカードのマークと数字とが表示され（Ｓ１９、Ｓ２１）、観客が思い浮かべたトランプカードのマークと数字を、恰も腕時計が当てたかなようなマジックを実演することができる。【選択図】図５
2008113898.tif 000002
【特許請求の範囲】
【請求項１】
トランプカードの「１」から「１３」までの数字それぞれに対応する第１の識別子を順次表示させる第１の表示制御手段と、
前記「１」から「１３」までの数字それぞれに対応する第１の識別子が順次表示されている状態において、予め定められている操作の有無を判断する第１の判断手段と、
この第１の判断手段により、前記予め定められている操作の有が判断された時点において表示されていた前記第１識別子に対応する数字の値を記憶する第１の記憶手段と、
トランプカードにおける４種類のマークそれぞれ対応する第２の識別子を順次表示させる第２の表示制御手段と、
前記４種類のマークそれぞれ対応する第２の識別子が順次表示されている状態において、予め定められている操作の有無を判断する第２の判断手段と、
この第２の判断手段により、前記予め定められている操作の有が判断された時点において表示されていた前記第２識別子に対応するトランプのマークを示す識別情報を記憶する第２記憶手段と、
前記第１の記憶手段に前記数字の値が記憶され、かつ、前記第２の記憶手段に前記マークを示す識別情報が記憶されたことを条件として、動的表示を実行させる第３の表示制御手段と、
前記動的表示が実行されている状態において、予め定められている操作の有無を判断する第３の判断手段と、
この第３の判断手段により、前記予め定められている操作の有が判断されたことを条件として、前記第２の記憶手段に記憶されている識別情報が示すトランプのマークを表示させる第３の表示制御手段と、
前記動的表示が実行されている状態において、予め定められている操作の有無を判断する第４の判断手段と、
この第４の判断手段により、前記予め定められている操作の有が判断されたことを条件として、前記第１の記憶手段に記憶されている数字の値に対応するトランプカードの数字を表示させる第４の表示制御手段と
を備えることを特徴とする電子機器。
【請求項２】
前記第１の表示制御手段は、トランプカードの「１」から「１３」までの数字それぞれに対応する第１の識別子を順次表示させるとともに、動的な表示を実行させることを特徴とする請求項１記載の電子機器。
【請求項３】
前記第２の表示制御手段は、トランプカードにおける４種類のマークそれぞれ対応する第２の識別子を順次表示させるとともに、動的な表示を実行させることを特徴とする請求項１又は２記載の電子機器。
【請求項４】
前記動的な表示とは、スロットマシーンにおけるドラムが回転している状態を擬似的に表示させる表示形態であることを特徴とする請求項１、２、又は３記載の電子機器。
【請求項５】
前記第１の表示制御手段は、前記スロットマシーンにおけるドラムが回転している状態を擬似的に表示させる表示形態において、前記第１の判断手段により、前記予め定められている操作の有が判断されたとき、前記ドラムを停止させてトランプカードにおける４種類のマークのいずれかを表示させる手段を更に備えることを特徴とする請求項４記載の電子機器。
【請求項６】
前記第１の表示制御手段は、前記スロットマシーンにおけるドラムが回転している状態を擬似的に表示させる表示形態において、前記第２の判断手段により、前記予め定められている操作の有が判断されたとき、前記ドラムを停止させてトランプカードの「１」から「１３」までの数字のいずれかを表示させる手段を更に備えることを特徴とする請求項４記載の電子機器。
【請求項７】
予め定められた複数の対象それぞれに対応する識別子を順次表示させる第１表示制御手段と、
前記複数の対象それぞれに対応する識別子が順次表示されている状態において、予め定められている操作の有無を判断する第１の判断手段と、
この第１の判断手段により、前記予め定められている操作の有が判断された時点において表示されていた前記識別子を示す識別情報を記憶する記憶手段と、
前記記憶手段に前記識別情報が記憶されたことを条件として、動的表示を実行させる第２の表示制御手段と、
前記動的表示が実行されている状態において、予め定められている操作の有無を判断する第２の判断手段と、
この第２の判断手段により、前記予め定められている操作の有が判断されたことを条件として、前記記憶手段に記憶されている識別情報が示す識別子に対応する対象を表示させる第３の表示制御手段と、
を備えることを特徴とする電子機器。
【請求項８】
カードに記載されている異なる数字または記号それぞれに対応する第１の識別子を順次表示させる第１の表示制御手段と、
この第１の表示制御手段の制御により第１の識別子が順次表示されている状態において、予め定められている操作の有無を判断する第１の判断手段と、
この第１の判断手段により、前記予め定められている操作の有が判断された時点において表示されていた第１識別子に対応する第１識別子データを記憶する第１の記憶手段と、
カードに記載されている複数種類のマークそれぞれ対応する第２の識別子を順次表示させる第２の表示制御手段と、
この第２の表示制御手段の制御により第２の識別子が順次表示されている状態において、予め定められている操作の有無を判断する第２の判断手段と、
この第２の判断手段により、前記予め定められている操作の有が判断された時点において表示されていた第２識別子に対応する第２識別子データを記憶する第２の記憶手段と、
前記第１の記憶手段に前記第１識別子データが記憶され、かつ、前記第２の記憶手段に前記第２識別子データが記憶されたことを条件として、動的表示を実行させる第３の表示制御手段と、
この第３の表示制御手段の制御により前記動的表示が実行されている状態において、予め定められている操作の有無を判断する第３の判断手段と、
この第３の判断手段により、前記予め定められている操作の有が判断されたことを条件として、前記第２の記憶手段に記憶されている第２識別子データに対応する第２識別子を表示させる第３の表示制御手段と、
前記動的表示が実行されている状態において、予め定められている操作の有無を判断する第４の判断手段と、
この第４の判断手段により、前記予め定められている操作の有が判断されたことを条件として、前記第１の記憶手段に記憶されている第１識別子データに対応する第１識別子を表示させる第４の表示制御手段と
を備えることを特徴とする電子機器。
【請求項９】
表示手段を備える電子機器が有するコンピュータを、
トランプカードの「１」から「１３」までの数字それぞれに対応する第１の識別子を順次表示させる第１の表示制御手段と、
前記「１」から「１３」までの数字それぞれに対応する第１の識別子が順次表示されている状態において、予め定められている操作の有無を判断する第１の判断手段と、
この第１の判断手段により、前記予め定められている操作の有が判断された時点において表示されていた前記第１識別子に対応する数字の値を記憶する第１の記憶手段と、
トランプカードにおける４種類のマークそれぞれ対応する第２の識別子を順次表示させる第２の表示制御手段と、
前記４種類のマークそれぞれ対応する第２の識別子が順次表示されている状態において、予め定められている操作の有無を判断する第２の判断手段と、
この第２の判断手段により、前記予め定められている操作の有が判断された時点において表示されていた前記第２識別子に対応するトランプのマークを示す識別情報を記憶する第２記憶手段と、
前記第１の記憶手段に前記数字の値が記憶され、かつ、前記第２の記憶手段に前記マークを示す識別情報が記憶されたことを条件として、動的表示を実行させる第３の表示制御手段と、
前記動的表示が実行されている状態において、予め定められている操作の有無を判断する第３の判断手段と、
この第３の判断手段により、前記予め定められている操作の有が判断されたことを条件として、前記第２の記憶手段に記憶されている識別情報が示すトランプのマークを表示させる第３の表示制御手段と、
前記動的表示が実行されている状態において、予め定められている操作の有無を判断する第４の判断手段と、
この第４の判断手段により、前記予め定められている操作の有が判断されたことを条件として、前記第１の記憶手段に記憶されている数字の値に対応するトランプカードの数字を表示させる第４の表示制御手段と
して機能させることを特徴とする電子機器制御プログラム。
【請求項１０】
表示手段を備える電子機器が有するコンピュータを、
予め定められた複数の対象それぞれに対応する識別子を順次表示させる第１表示制御手段と、
前記複数の対象それぞれに対応する識別子が順次表示されている状態において、予め定められている操作の有無を判断する判断手段と、
この判断手段により、前記予め定められている操作の有が判断された時点において表示されていた前記識別子を示す識別情報を記憶する記憶手段と、
前記記憶手段に前記識別情報が記憶されたことを条件として、動的表示を実行させる第２の表示制御手段と、
前記動的表示が実行されている状態において、予め定められている操作の有無を判断する第２の判断手段と、
この第２の判断手段により、前記予め定められている操作の有が判断されたことを条件として、前記記憶手段に記憶されている識別情報が示す識別子に対応する対象を表示させる第３の表示制御手段と、
して機能させることを特徴とする電子機器制御プログラム。
【請求項１１】
トランプカードの「１」から「１３」までの数字それぞれに対応する第１の識別子を順次表示させる第１の表示制御ステップと、
前記「１」から「１３」までの数字それぞれに対応する第１の識別子が順次表示されている状態において、予め定められている操作の有無を判断する第１の判断ステップと、
この第１の判断ステップにより、前記予め定められている操作の有が判断された時点において表示されていた前記第１識別子に対応する数字の値を記憶する第１の記憶ステップと、
トランプカードにおける４種類のマークそれぞれ対応する第２の識別子を順次表示させる第２の表示制御ステップと、
前記４種類のマークそれぞれ対応する第２の識別子が順次表示されている状態において、予め定められている操作の有無を判断する第２の判断ステップと、
この第２の判断ステップにより、前記予め定められている操作の有が判断された時点において表示されていた前記第２識別子に対応するトランプのマークを示す識別情報を記憶する第２記憶ステップと、
前記第１の記憶ステップにより前記数字の値が記憶され、かつ、前記第２の記憶ステップに前記マークを示す識別情報が記憶されたことを条件として、動的表示を実行させる第３の表示制御ステップと、
前記動的表示が実行されている状態において、予め定められている操作の有無を判断する第３の判断ステップと、
この第３の判断ステップにより、前記予め定められている操作の有が判断されたことを条件として、前記第２の記憶ステップに記憶されている識別情報が示すトランプのマークを表示させる第３の表示制御ステップと、
前記動的表示が実行されている状態において、予め定められている操作の有無を判断する第４の判断ステップと、
この第４の判断ステップにより、前記予め定められている操作の有が判断されたことを条件として、前記第１の記憶ステップに記憶されている数字の値に対応するトランプカードの数字を表示させる第４の表示制御ステップと
を含むことを特徴とする電子機器制御方法。
【請求項１２】
予め定められた複数の対象それぞれに対応する識別子を順次表示させる第１表示制御ステップと、
前記複数の対象それぞれに対応する識別子が順次表示されている状態において、予め定められている操作の有無を判断する第１の判断ステップと、
この第１の判断ステップにより、前記予め定められている操作の有が判断された時点において表示されていた前記識別子を示す識別情報を記憶する記憶ステップと、
前記記憶ステップにより前記識別情報が記憶されたことを条件として、動的表示を実行させる第２の表示制御ステップと、
前記動的表示が実行されている状態において、予め定められている操作の有無を判断する第２の判断ステップと、
この第２の判断ステップにより、前記予め定められている操作の有が判断されたことを条件として、前記記憶ステップに記憶されている識別情報が示す識別子に対応する対象を表示させる第３の表示制御ステップと、
を含むことを特徴とする電子機器制御方法。
【発明の詳細な説明】
【技術分野】
【０００１】
本発明は、マジック機能を有する電子機器、電子機器制御プログラム及び電子機器制御方法に関するものである。
【背景技術】
【０００２】
今日においては、腕時計や携帯電話機等の表示機能を備えた各種電子機器が出現するに至っており、一方、トリック手品具（例えば、特許文献１参照。）等の、各種手品専用具も出現するに至っている。
【特許文献１】特開平３−３３７７６号公報
【発明の開示】
【発明が解決しようとする課題】
【０００３】
したがって、トリック手品具等の各種手品専用具を用いれば、手品を実演することができ、余興効果を発生させることができる。しかしながら、従来の各種電子機器にあっては、専ら機器本来の機能を発生させることを主眼とするものであることから、これを用いて余興効果を発生させたり、当該機器の興趣性を高めさせたりすることはできない。
【０００４】
本発明は、かかる従来の課題に鑑みてなされたものであり、余興効果を発生させたり、興趣性を高めたりさせることのできる電子機器、電子機器制御プログラム及び電子機器制御方法を提供することを目的とする。
【課題を解決するための手段】
【０００５】
前記課題を解決するため請求項１記載の発明に係る電子機器にあっては、トランプカードの「１」から「１３」までの数字それぞれに対応する第１の識別子を順次表示させる第１の表示制御手段と、前記「１」から「１３」までの数字それぞれに対応する第１の識別子が順次表示されている状態において、予め定められている操作の有無を判断する第１の判断手段と、この第１の判断手段により、前記予め定められている操作の有が判断された時点において表示されていた前記第１識別子に対応する数字の値を記憶する第１の記憶手段と、トランプカードにおける４種類のマークそれぞれ対応する第２の識別子を順次表示させる第２の表示制御手段と、前記４種類のマークそれぞれ対応する第２の識別子が順次表示されている状態において、予め定められている操作の有無を判断する第２の判断手段と、この第２の判断手段により、前記予め定められている操作の有が判断された時点において表示されていた前記第２識別子に対応するトランプのマークを示す識別情報を記憶する第２記憶手段と、前記第１の記憶手段に前記数字の値が記憶され、かつ、前記第２の記憶手段に前記マークを示す識別情報が記憶されたことを条件として、動的表示を実行させる第３の表示制御手段と、前記動的表示が実行されている状態において、予め定められている操作の有無を判断する第３の判断手段と、この第３の判断手段により、前記予め定められている操作の有が判断されたことを条件として、前記第２の記憶手段に記憶されている識別情報が示すトランプのマークを表示させる第３の表示制御手段と、前記動的表示が実行されている状態において、予め定められている操作の有無を判断する第４の判断手段と、この第４の判断手段により、前記予め定められている操作の有が判断されたことを条件として、前記第１の記憶手段に記憶されている数字の値に対応するトランプカードの数字を表示させる第４の表示制御手段とを備えることを特徴とする。
【０００６】
また、請求項２記載の発明に係る電子機器にあっては、前記第１の表示制御手段は、トランプカードの「１」から「１３」までの数字それぞれに対応する第１の識別子を順次表示させるとともに、動的な表示を実行させることを特徴とする。
【０００７】
また、請求項３記載の発明に係る電子機器にあっては、前記第２の表示制御手段は、トランプカードにおける４種類のマークそれぞれ対応する第２の識別子を順次表示させるとともに、動的な表示を実行させることを特徴とする。
【０００８】
また、請求項４記載の発明に係る電子機器にあっては、前記動的な表示とは、スロットマシーンにおけるドラムが回転している状態を擬似的に表示させる表示形態であることを特徴とする。
【０００９】
また、請求項５記載の発明に係る電子機器にあっては、前記第１の表示制御手段は、前記スロットマシーンにおけるドラムが回転している状態を擬似的に表示させる表示形態において、前記第１の判断手段により、前記予め定められている操作の有が判断されたとき、前記ドラムを停止させてトランプカードにおける４種類のマークのいずれかを表示させる手段を更に備えることを特徴とする。
【００１０】
また、請求項６記載の発明に係る電子機器にあっては、前記第１の表示制御手段は、前記スロットマシーンにおけるドラムが回転している状態を擬似的に表示させる表示形態において、前記第２の判断手段により、前記予め定められている操作の有が判断されたとき、前記ドラムを停止させてトランプカードの「１」から「１３」までの数字のいずれかを表示させる手段を更に備える。
【００１１】
また、請求項７記載の発明に係る電子機器にあっては、予め定められた複数の対象それぞれに対応する識別子を順次表示させる第１表示制御手段と、前記複数の対象それぞれに対応する識別子が順次表示されている状態において、予め定められている操作の有無を判断する第１の判断手段と、この第１の判断手段により、前記予め定められている操作の有が判断された時点において表示されていた前記識別子を示す識別情報を記憶する記憶手段と、前記記憶手段に前記識別情報が記憶されたことを条件として、動的表示を実行させる第２の表示制御手段と、前記動的表示が実行されている状態において、予め定められている操作の有無を判断する第２の判断手段と、この第２の判断手段により、前記予め定められている操作の有が判断されたことを条件として、前記記憶手段に記憶されている識別情報が示す識別子に対応する対象を表示させる第３の表示制御手段とを備えることを特徴とする。
【００１２】
また、請求項８記載の発明に係る電子機器にあっては、カードに記載されている異なる数字または記号それぞれに対応する第１の識別子を順次表示させる第１の表示制御手段と、この第１の表示制御手段の制御により第１の識別子が順次表示されている状態において、予め定められている操作の有無を判断する第１の判断手段と、この第１の判断手段により、前記予め定められている操作の有が判断された時点において表示されていた第１識別子に対応する第１識別子データを記憶する第１の記憶手段と、カードに記載されている複数種類のマークそれぞれ対応する第２の識別子を順次表示させる第２の表示制御手段と、この第２の表示制御手段の制御により第２の識別子が順次表示されている状態において、予め定められている操作の有無を判断する第２の判断手段と、この第２の判断手段により、前記予め定められている操作の有が判断された時点において表示されていた第２識別子に対応する第２識別子データを記憶する第２の記憶手段と、前記第１の記憶手段に前記第１識別子データが記憶され、かつ、前記第２の記憶手段に前記第２識別子データが記憶されたことを条件として、動的表示を実行させる第３の表示制御手段と、この第３の表示制御手段の制御により前記動的表示が実行されている状態において、予め定められている操作の有無を判断する第３の判断手段と、この第３の判断手段により、前記予め定められている操作の有が判断されたことを条件として、前記第２の記憶手段に記憶されている第２識別子データに対応する第２識別子を表示させる第３の表示制御手段と、前記動的表示が実行されている状態において、予め定められている操作の有無を判断する第４の判断手段と、この第４の判断手段により、前記予め定められている操作の有が判断されたことを条件として、前記第１の記憶手段に記憶されている第１識別子データに対応する第１識別子を表示させる第４の表示制御手段とを備えることを特徴とする。
【００１３】
また、請求項９記載の発明に係る電子機器制御プログラムにあっては、表示手段を備える電子機器が有するコンピュータを、トランプカードの「１」から「１３」までの数字それぞれに対応する第１の識別子を順次表示させる第１の表示制御手段と、前記「１」から「１３」までの数字それぞれに対応する第１の識別子が順次表示されている状態において、予め定められている操作の有無を判断する第１の判断手段と、この第１の判断手段により、前記予め定められている操作の有が判断された時点において表示されていた前記第１識別子に対応する数字の値を記憶する第１の記憶手段と、トランプカードにおける４種類のマークそれぞれ対応する第２の識別子を順次表示させる第２の表示制御手段と、前記４種類のマークそれぞれ対応する第２の識別子が順次表示されている状態において、予め定められている操作の有無を判断する第２の判断手段と、この第２の判断手段により、前記予め定められている操作の有が判断された時点において表示されていた前記第２識別子に対応するトランプのマークを示す識別情報を記憶する第２記憶手段と、前記第１の記憶手段に前記数字の値が記憶され、かつ、前記第２の記憶手段に前記マークを示す識別情報が記憶されたことを条件として、動的表示を実行させる第３の表示制御手段と、前記動的表示が実行されている状態において、予め定められている操作の有無を判断する第３の判断手段と、この第３の判断手段により、前記予め定められている操作の有が判断されたことを条件として、前記第２の記憶手段に記憶されている識別情報が示すトランプのマークを表示させる第３の表示制御手段と、前記動的表示が実行されている状態において、予め定められている操作の有無を判断する第４の判断手段と、この第４の判断手段により、前記予め定められている操作の有が判断されたことを条件として、前記第１の記憶手段に記憶されている数字の値に対応するトランプカードの数字を表示させる第４の表示制御手段として機能させることを特徴とする。
【００１４】
また、請求項１０記載の発明に係る電子機器制御プログラムにあっては、表示手段を備える電子機器が有するコンピュータを、予め定められた複数の対象それぞれに対応する識別子を順次表示させる第１表示制御手段と、前記複数の対象それぞれに対応する識別子が順次表示されている状態において、予め定められている操作の有無を判断する判断手段と、この判断手段により、前記予め定められている操作の有が判断された時点において表示されていた前記識別子を示す識別情報を記憶する記憶手段と、前記記憶手段に前記識別情報が記憶されたことを条件として、動的表示を実行させる第２の表示制御手段と、前記動的表示が実行されている状態において、予め定められている操作の有無を判断する第２の判断手段と、この第２の判断手段により、前記予め定められている操作の有が判断されたことを条件として、前記記憶手段に記憶されている識別情報が示す識別子に対応する対象を表示させる第３の表示制御手段として機能させることを特徴とする。
【００１５】
また、請求項１１記載の発明に係る電子機器制御方法にあっては、トランプカードの「１」から「１３」までの数字それぞれに対応する第１の識別子を順次表示させる第１の表示制御ステップと、前記「１」から「１３」までの数字それぞれに対応する第１の識別子が順次表示されている状態において、予め定められている操作の有無を判断する第１の判断ステップと、この第１の判断ステップにより、前記予め定められている操作の有が判断された時点において表示されていた前記第１識別子に対応する数字の値を記憶する第１の記憶ステップと、トランプカードにおける４種類のマークそれぞれ対応する第２の識別子を順次表示させる第２の表示制御ステップと、前記４種類のマークそれぞれ対応する第２の識別子が順次表示されている状態において、予め定められている操作の有無を判断する第２の判断ステップと、この第２の判断ステップにより、前記予め定められている操作の有が判断された時点において表示されていた前記第２識別子に対応するトランプのマークを示す識別情報を記憶する第２記憶ステップと、前記第１の記憶ステップにより前記数字の値が記憶され、かつ、前記第２の記憶ステップに前記マークを示す識別情報が記憶されたことを条件として、動的表示を実行させる第３の表示制御ステップと、前記動的表示が実行されている状態において、予め定められている操作の有無を判断する第３の判断ステップと、この第３の判断ステップにより、前記予め定められている操作の有が判断されたことを条件として、前記第２の記憶ステップに記憶されている識別情報が示すトランプのマークを表示させる第３の表示制御ステップと、前記動的表示が実行されている状態において、予め定められている操作の有無を判断する第４の判断ステップと、この第４の判断ステップにより、前記予め定められている操作の有が判断されたことを条件として、前記第１の記憶ステップに記憶されている数字の値に対応するトランプカードの数字を表示させる第４の表示制御ステップとを含むことを特徴とする電子機器制御方法。
【００１６】
また、請求項１２記載の発明に係る電子機器制御方法にあっては、予め定められた複数の対象それぞれに対応する識別子を順次表示させる第１表示制御ステップと、前記複数の対象それぞれに対応する識別子が順次表示されている状態において、予め定められている操作の有無を判断する第１の判断ステップと、この第１の判断ステップにより、前記予め定められている操作の有が判断された時点において表示されていた前記識別子を示す識別情報を記憶する記憶ステップと、前記記憶ステップにより前記識別情報が記憶されたことを条件として、動的表示を実行させる第２の表示制御ステップと、前記動的表示が実行されている状態において、予め定められている操作の有無を判断する第２の判断ステップと、この第２の判断ステップにより、前記予め定められている操作の有が判断されたことを条件として、前記記憶ステップに記憶されている識別情報が示す識別子に対応する対象を表示させる第３の表示制御ステップとを含むことを特徴とする。
【発明の効果】
【００１７】
本発明に係る電子機器によれば、当該電子機器を用いて観客が思い浮かべたトランプカードを当てるマジックや、観客が思い浮かべた対象を当てるマジックを実演することができる。よって、これを用いて余興効果を発生させたり、当該機器の興趣性を高めさせたりすることができる。
【発明を実施するための最良の形態】
【００１８】
以下、本発明の一実施の形態を図に従って説明する。図１は、本発明の一実施の形態を適用した腕時計の外観構成を示す平面図である。
【００１９】
この腕時計１は、時計本体部２とこの時計本体部２の両側に係着されたリストバンド３、４とを有している。時計本体部２の上面中央部には、ＬＣＤ等で構成される表示部５が設けられており、両側部には押下によりスイッチがオン（ＯＮ）となる押釦スイッチ６〜９が２個ずつ配置されている。なお、表示部５は、上部左側の第１表示領域５１と右側の第２表示領域５２、及び下部の第３表示領域５３とに区分される。
【００２０】
図２は、前記時計本体部２内に配置された回路の構成を示すブロック図である。
【００２１】
発振回路１０は基本周波数のクロック信号を生成する回路であり、生成したクロック信号を分周回路１１に出力する。分周回路１１はそのクロック信号を分周して１Ｈｚの計時信号を作成し、時刻計数回路１２に出力する。時刻計数回路１２は時、分、秒のカウンタを有しており、１Ｈｚの計時信号を計数して得られた時、分、秒の時刻データをＣＰＵ１４に出力する。また時刻計数回路１２は２４時間毎の日キャリー信号を日付計数回路１３に出力し、日付計数回路１３はその日キャリー信号を計数して得た日付データをＣＰＵ１４に出力する。入力部１５は、前記押釦スイッチ６〜９を有しており、これらの操作信号をＣＰＵ１４に出力する。
【００２２】
ＣＰＵ１４は、ＲＯＭ１６に記憶されている各種プログラムを解読し、ＲＡＭ１７をワークエリアとして使用しつつ、時刻表示処理や後述するフローチャートに示す処理等を実行する中央処理部である。前記表示部５は、ＣＰＵ１４から出力される現在時刻データあるいは表示データに基づいて表示素子を駆動してそれらのデータを表示する。表示部５の下面側には、ＥＬ２２が積層されており、ＣＰＵ１４はこのＥＬ２２の点灯動作を制御するとともに、音出力部１８の放音動作を制御する。
【００２３】
図３は、前記ＲＯＭ１６のメモリ構成を示す概念図である。
【００２４】
ＲＯＭ１６には前記プログラムを格納するプログラム記憶領域１６１、後述する表示例に示す各種文字や画像を表示するための画像データを格納する画像データ格納領域１６２等が設けられている。
【００２５】
図４は、前記ＲＡＭ１７のメモリ構成を示す概念図である。
【００２６】
ＲＡＭ１７には、トランプカードにおける数字１〜１３のいずれかである第１の正解値ｔｎを格納する第１格納部１７１と、トランプカードにおけるマークに対応する数値１〜４のいずれかである第２の正解値ｔｓを格納する第２格納部１７２とが設けられている。
【００２７】
なお、本実施の形態におけるトランプカードのマークとの対応関係は、下記の通りである。
１；ダイヤ
２；クラブ
３；ハート
４；スペード
【００２８】
次に、以上の構成に係る本実施の形態の動作を、トランプカード当てマジックを行う演者Ｘと観客Ｙの動作とともに説明する。
【００２９】
すなわち、演者Ｘが所有する腕時計１は、時計モードにおいては、表示部５に現在時刻を表示させている。この状態から、演者Ｘがこの腕時計１を用いて観客Ｙの目前でトランプカード当てマジックを行うべく、押釦スイッチ６を操作すると、時計モードからマジックモードに移行し、ＣＰＵ１４はプログラムに従って図５のフローチャートに示す処理を実行する。
【００３０】
先ず、モード表示処理を実行し（ステップＳ１）、このステップＳ１での処理により、図６（Ａ）に示すように、表示部５の第２表示領域５２に、今から実行するマジックの番号を表示させ、第３表示領域５３に「ＭＡＧＩＣ」の文字を表示させる。次に、タイトル表示処理を実行し（ステップＳ２）、このステップＳ２での処理により、図６（Ｂ）に示すように、第３表示領域５３に今から実行するマジックのタイトルである「ＳＬＯＴ」の文字を表示させる。
【００３１】
次に、押釦スイッチ８が操作されたか否かを判断し（ステップＳ３）、操作されたならば前回のマジックの最終画面を表示する処理である前回ストップ表示処理を実行する（ステップＳ４）。このステップＳ４での処理により、図６（Ｃ）に示すように、第３表示領域５３には前回の最終画面を表示させる。この図６（Ｃ）の表示において、左側はトランプのマークを示し、右側はトランプの数字を示す。
【００３２】
すなわち、本実施の形態においては図８（Ａ）に示すように、「Ｄ」とダイヤのマークの組合せによりトランプのマークの「ダイヤ」を表し、また、同図（Ｂ）〜（Ｄ）に示すように、「Ｃ」とクラブのマークの組合せにより「クラブ」を、「Ｈ」とハートのマークの組合せにより「ハート」を、「Ｓ」とスペードのマークの組合せにより「スペード」を各々表す。
【００３３】
そして、図６（Ｃ）の表示状態となったならば演者Ｘは、これを観客Ｙに見せながら、「これはトランプカードのスロットマシーンです。左がトランプのマークで、右が数字です。それでは、思い浮かべたトランプのカード１枚を教えてください。」と発言する。これに応じて、観客Ｙは、例えば「スペードの１１（ジャック）です。」と答える。
【００３４】
この答を聞いた演者Ｘは、「スペードの１１（ジャック）」を記憶する。しかる後に、図６（Ｄ）に示すように、「では、やり方を教えます。最初に右上の釦を押すと、スロットマシーンが回転します。」と発言しつつ、押釦スイッチ８を操作する。これにより、ステップＳ５の判断がＹＥＳとなり、ステップＳ５からステップＳ６に進み、第１、第２ドラム回転アニメ表示処理を実行するとともに、第１シークレットサイン表示処理を実行する。
【００３５】
このステップＳ６での第１、第２ドラム回転アニメ表示処理により、図６（Ｅ）に示すように、第３表示領域５３にスロットマシーンにおける４個のドラムが回転しているかのようなアニメーションを表示させる。なお、この４個のドラムにおいて左側２個のドラムが第１ドラム５４であり、右側２個が第２ドラム５５である。
【００３６】
次に、押釦スイッチ８が操作されたか否かを判断し（ステップＳ７）、操作されない場合には、ｔｎの値を１〜１３まで順次変化させるとともに繰り返し変化させ（ステップＳ８）、ｔｎの値を「１」変化させる都度、ステップＳ６に戻って第１シークレットサイン表示処理を実行する。
【００３７】
すなわち、第１シークレットサインは、図９に示すように２組のセグメントＳ１，Ｓ２における点灯の表示形態を組み合わせることにより、１〜１３（Ｋ：キング）のトランプの数値を表す識別子である。そして、ステップＳ８でｔｎの値を「１」変化させる都度、ステップＳ６に戻って第１シークレットサイン表示処理を実行することにより、第１表示領域５１に数字に応じて順次変化する第１シークレットサインを表示させる。
【００３８】
また、この図９に示した、２組のセグメントの表示形態と数字との関係については、腕時計１の取扱説明書を読むことにより、演者Ｘは既に知っている。したがって、演者Ｘは、第１表示領域５１に変化しつつ表示される第１シークレットサインを見ることにより、それが１〜１３（Ｋ：キング）のいずれの数字を意味するものであるかを、認識することができる。
【００３９】
そこで、演者Ｘは、第１表示領域５１に、前記観客Ｙが思い浮かべたトランプのカード「スペードの１１（ジャック）」の数値（数字）と同じ「１１」を示す識別子が表示された時点で、押釦スイッチ８を操作する。すると、ステップＳ７の判断がＹＥＳとなり、ステップＳ７からステップＳ９に進み、押釦スイッチ８を操作した時点で第１表示領域５１に表示されていた第１シークレットサインによる表示形態に対応するｔｎの数字である「11」をＲＡＭの第１格納部１７１に記憶する（ステップＳ９）。
【００４０】
第１表示領域５１に、観客Ｙが思い浮かべたトランプのカード「スペードの１１（ジャック）」の数値（数字）と同じ「１１」を示す識別子が表示された時点で、押釦スイッチ８を操作して、第１表示領域５１に表示されていた第１シークレットサインによる表示形態に対応するｔｎの数字である「11」をＲＡＭの第１格納部１７１に記憶することが本件の第１のトリックとなる部分である。
【００４１】
このようにして、ＲＡＭの第１格納部１７１に、表示されていた第１シークレットサインによる表示形態に対応する「１１」が記憶されると、これに応答して、第１ドラム５４のドラムアニメーション表示を停止させて、ハートを表示させる（ステップＳ１０）。このステップＳ１０での処理により、図６（Ｆ）に示すように、「Ｈ」とハートのマークの組合せによりなる「ハート」の図形が第１ドラム５４上に表示されることとなる。したがって、これを見た観客Ｙは、本来は観客Ｙが思い浮かべたトランプのカード「スペードの１１（ジャック）」における「１１」を記憶させるための押釦スイッチ８に対する操作を、単に第１ドラム５４を停止させる操作に過ぎないと思い込み、トリックが露見することはない。
【００４２】
しかも、前記押釦スイッチ８の操作は、本来はトランプにおける数字を確定させる操作であるのに対し、表示上は第１ドラム５４を停止させてトランプのマークを確定させる操作となることから、トリックの露見を確実に防止することができる。
【００４３】
なお、本実施の形態においては、ステップＳ１０において「ハート」の図形を表示させるようにしたが、他のトランプのマークを表示させるようにしてもよい。
【００４４】
一方、ステップＳ１０に続く、ステップＳ１１においては、第２ドラム回転アニメ表示処理を実行するとともに、及び第２シークレットサイン表示処理を実行する。このステップＳ１１で第２ドラム回転アニメ表示処理により、図６（Ｇ）に示すように、第３表示領域５３において、第１ドラム５４には、前記「ハート」の図形が表示された状態に維持され、第２ドラム５５が回転している表示状態となる。
【００４５】
次に、押釦スイッチ８が操作されたか否かを判断し（ステップＳ１２）、操作されない場合には、ｔｓの値を０〜４まで順次変化させるとともに繰り返し変化させ（ステップＳ８）、ｔｓの値を「１」変化させる都度、ステップＳ１１に戻って第２シークレットサイン表示処理を実行する。
【００４６】
すなわち、第１シークレットサインは、図１０に示すように２組のセグメントの表示形態を組み合わせることにより、１；「ダイヤ」、２；「クラブ」、３；「ハート」、４；「スペード」のトランプのマークを表す識別子である（但し、０；無効）。そして、ステップＳ１３でｔｓの値を「１」変化させる都度、ステップＳ１１に戻って第２シークレットサイン表示処理を実行することにより、第２表示領域５２に数字に応じて順次変化する第２シークレットサインを表示させる。
【００４７】
また、この図１０に示した、２組のセグメントの表示形態とマークとの関係については、腕時計１の取扱説明書を読むことにより、演者Ｘは既に知っている。したがって、演者Ｘは、第１表示領域５１に変化しつつ表示される第２シークレットサインを見ることにより、それが「ダイヤ」、「クラブ」、「ハート」、「スペード」のいずれを意味するものであるかを、認識することができる。
【００４８】
そこで、演者Ｘは、「次は、数字を止めます」と発言してから、第２表示領域５２に、前記観客Ｙが思い浮かべたトランプのカード「スペードの１１（ジャック）」における「スペード」の表示形態に対応する識別子（４）が表示された時点で、押釦スイッチ８を操作する。すると、ステップＳ１２の判断がＹＥＳとなり、ステップＳ１２からステップＳ１４に進み、押釦スイッチ８を操作した時点で第２表示領域５２に表示されていた第２シークレットサインの表示形態に対応するｔｓの数値をＲＡＭの第１格納部１７１に記憶する（ステップＳ１４）。これにより、ＲＡＭの第２格納部１７２には、「４」（＝スペード）が記憶されることとなる。
【００４９】
第２表示領域５２に、観客Ｙが思い浮かべたトランプのカード「スペードの１１（ジャック）」における「スペード」の表示形態に対応する識別子（４）が表示された時点で、押釦スイッチ８を操作して、第２表示領域５２に表示されていた第２シークレットサインの表示形態に対応するｔｓの数値である「４」（＝スペード）をＲＡＭの第１格納部１７１に記憶することが本件の第２のトリックとなる部分である。
【００５０】
引き続き、第２ドラム５５のドラムアニメーション表示を停止させて、Ａ（エース；１）を表示させる（ステップＳ１５）。このステップＳ１５での処理により、図７（Ｈ）に示すように、「Ａ（エース）」の文字が第２ドラム５５上に表示されることとなる。したがって、これを見た観客Ｙは、本当は観客Ｙが思い浮かべたトランプのカード「スペードの１１（ジャック）」における「スペード」に対応する数値を記憶させるために行った押釦スイッチ８に対する操作を、単に第２ドラム５５を停止させる操作に過ぎないと思い込み、トリックが露見することはない。
【００５１】
しかも、前記押釦スイッチ８の操作は、本来はトランプにおけるマークを確定させる操作であるのに対し、表示上は第２ドラム５５を停止させてトランプの数字を確定させる操作となることから、トリックの露見を確実に防止することができる。
【００５２】
なお、本実施の形態においては、ステップＳ１５でＡ（エース；１）を表示させるようにしたが、トランプの数字「１」〜「１３のいずれであってもよい。
【００５３】
以上のようなデモンストレーションを終了したならば、演者Ｘは図７（Ｉ）に示すように、「では、同じようにやってみて下さい」と発言しつつ、腕時計１を観客Ｙに渡す。すると、前述したデモンストレーションで演者Ｘが行った操作と同様に、ドラムを回転させるべく、押釦スイッチ８を操作する。これにより、ステップＳ１６の判断がＹＥＳとなり、ステップＳ１６からステップＳ１７に進み第１、第２ドラム回転アニメーション表示処理を実行する。このステップＳ１７での処理により、図７（Ｊ）に示すように、第３表示領域５３に４個のドラムが回転しているかのようなアニメーションを表示させる。
【００５４】
これを確認した演者Ｘは、「先ず、マークを止めてください」と発言する。すると、観客Ｙは、前記デモンストレーションと同様に、マークを止めるべく押釦スイッチ８を操作する。これにより、ステップＳ１８の判断がＹＥＳとなり、ステップＳ１８からステップＳ１９に進み、第１ドラムにｔｓに対応するトランプのマークを表示する。
【００５５】
ここで、ｔｓは、前述のように、第２格納部１７２に記憶されている値であり、本実施の形態における説明では、前述のように「スペード」に対応する「４」である。したがって、このステップＳ１９での処理により、図７（Ｋ）に示すように、第１ドラム５４上に、「Ｓ」とスペードのマークの組合せからなる「スペード」の図形が表示されることとなる。この表示を確認した演者Ｘは、「それはスペードですね。」と発言し、観客Ｙに対して念を押す。
【００５６】
これに引き続いて、演者Ｘは、図７（Ｌ）に示すように、「次に、数字を止めてください。」と発言する。すると、観客Ｙは、前記デモンストレーションと同様に、数字を止めるべく押釦スイッチ８を操作する。これにより、ステップＳ２０の判断がＹＥＳとなり、ステップＳ２０からステップＳ２１に進み、第２ドラムにｔｎに対応するトランプの数字を表示する。
【００５７】
ここで、ｔｎは、前述のように、第１格納部１７１に記憶されている数字であり、本実施の形態における説明では、前述のように「スペードの１１（ジャック）」に対応する「１１」である。したがって、このステップＳ２１での処理により、図７（Ｍ）に示すように、第２ドラム５５上に、「１１」を示す「Ｊ」の文字が表示されることとなる。
【００５８】
したがって、第３表示領域には、図７（Ｍ）に示したように、前記観客Ｙが思い浮かべたトランプのカード「スペードの１１（ジャック）」を示す「スペード」の図形と１１を示す「Ｊ」の文字とが表示されることとなる。そこで、演者Ｘは、これを見ながら、「スペードのジャック（１１）で止まりました。あなたが、思い浮かべたカードですね。」と発言する。この発言を聞き、かつ、図７（Ｍ）の表示状態を見た観客Ｙは、自己が思い浮かべたトランプのカードと、腕時計１の表示とが一致することにより、驚愕する。
【００５９】
このように、このマジックにおいては、演者Ｘはマジック開始直後に観客Ｙから聞いたトランプカードのマークと数字とを、押釦スイッチ８の操作により腕時計１に記憶させる簡単な操作により、トランプカード当てマジックを行うことができる。よって、腕時計１を用いて余興効果を発生させたり、当該機器（腕時計１）の興趣性を高めさせたりすることができる。
【００６０】
なお、本実施の形態においては、２種類の対象（トランプカードのマークと数字）を当てるようにしたが、１種類の対象、例えば数字のみを当てるようにしてもよい。この場合、トランプとは関係なく例えば、１〜１３（１〜５、１〜１０等であってもよい）の数字のいずれかを選択させ、前述と同様に、これらに対応するシークレットサインを表示させて記憶し、観客が選択した数字を当てるようにしてもよい。また、複数種の動物、例えば１３種類の動物のいずれかを選択させ、前述と同様に、これら１３種類（５種類、１０素種類等であってもよい）の動物等に対応するシークレットサインを表示させて記憶し、観客が選択した動物を当てるようにしてもよい。また、カードを用いる場合であっても、本実施の形態で説明したようにトランプカードに限ることなく、他のカードを用いるようにしてもよい。
【００６１】
これによっても、腕時計１を用いて余興効果を発生させたり、当該機器（腕時計１）の興趣性を高めさせたりすることができる。
【００６２】
また、実施の形態においては、本発明を腕時計に適用した場合を示したが、これに限ることなく、マジック専用機器として構成したり、携帯ゲーム機器、携帯電話機等の他の電子機器に適用したりするようにしてもよい。
【図面の簡単な説明】
【００６３】
【図１】本発明の一実施の形態に係る腕時計の外観構成図である。
【図２】同腕時計の回路構成を示すブロック図である。
【図３】ＲＯＭのメモリ構成図である。
【図４】ＲＡＭのメモリ構成図である。
【図５】本実施の形態の処理手順を示すフローチャートである。
【図６】同実施の形態の表示遷移図である。
【図７】図６に続く表示遷移図である。
【図８】トランプのマークの表示形態を示す図である。
【図９】第１のシークレットサインを示す図である。
【図１０】第２のシークレットサインを示す図である。
【符号の説明】
【００６４】
１    腕時計
２    時計本体部
３    リストバンド
５    表示部
６〜９    押釦スイッチ
１４    ＣＰＵ
１５    入力部
１６    ＲＯＭ
１７    ＲＡＭ
１８    音出力部
５１    第１表示領域
５２    第２表示領域
５３    第３表示領域
５４    第１ドラム
５５    第２ドラム
１６１    プログラム記憶領域
１６２    画像データ格納領域
１７１    第１格納部
１７２    第２格納部
ｔｎ    第１の正解値
ｔｓ    第２の正解値
【図１】
2008113898.tif 000003
【図２】
2008113898.tif 000004
【図３】
2008113898.tif 000005
【図４】
2008113898.tif 000006
【図５】
2008113898.tif 000007
【図６】
2008113898.tif 000008
【図７】
2008113898.tif 000009
【図８】
2008113898.tif 000010
【図９】
2008113898.tif 000011
【図１０】
2008113898.tif 000012